(57)【要約】【課題】表示対象となる患者以外の情報の漏洩を防ぐ。【解決手段】全体の患者リストが表示されている状態で（ステップＳ１）、表示対象となる表示対象患者が選択され（ステップＳ２；Ｙｅｓ）、患者固定ボタンが押下されると（ステップＳ３；Ｙｅｓ）、表示対象患者が設定される（患者固定モード）。そして、表示対象患者の患者ＩＤに基づいて、記憶部に記憶されている関連情報が検索され（ステップＳ４）、表示対象患者のみのリストが表示される（ステップＳ５）。リスト上で表示すべき検査が選択された場合には（ステップＳ６；Ｙｅｓ）、その検査に対応する医用画像情報に基づいて、医用画像が表示される（ステップＳ７）。患者固定モードのリセットボタンが押下されるまで（ステップＳ８；Ｙｅｓ）、表示対象患者の情報のみが表示される。【選択図】図２
2008148973.tif 000002
【特許請求の範囲】
【請求項１】
複数の患者を撮影して得られた医用画像情報及び当該医用画像情報に関連する関連情報を対応付けて記憶する記憶手段と、表示手段に前記関連情報をリスト表示させ、当該リスト上で選択された関連情報に対応する医用画像情報を前記表示手段に表示させる表示制御手段と、を備えた医用画像表示装置において、
表示対象となる表示対象患者を設定する表示対象患者設定手段を備え、
前記表示対象患者設定手段により表示対象患者が設定された場合に、前記表示制御手段は、当該表示対象患者に対応する関連情報及び医用画像情報のみを前記表示手段に表示させることを特徴とする医用画像表示装置。
【請求項２】
複数の患者を撮影して得られた医用画像情報及び当該医用画像情報に関連する関連情報を対応付けて記憶する記憶手段と、表示手段に前記関連情報をリスト表示させ、当該リスト上で選択された関連情報に対応する医用画像情報を前記表示手段に表示させる表示制御手段と、を備えた医用画像表示装置において、
前記関連情報は、患者情報と撮影条件情報とを含み、
表示対象となる表示対象患者を設定する表示対象患者設定手段を備え、
前記表示対象患者設定手段により表示対象患者が設定された場合に、前記表示制御手段は、当該表示対象患者に対応する関連情報及び医用画像情報を前記表示手段に表示させ、前記表示対象患者以外の患者に対応する撮影条件情報を前記表示手段にリスト表示させ、当該リスト上で選択された撮影条件情報に対応する医用画像情報を前記表示手段に表示させることを特徴とする医用画像表示装置。
【請求項３】
複数の患者を撮影して得られた医用画像情報及び当該医用画像情報に関連する関連情報を対応付けて記憶する記憶手段と、表示手段に前記関連情報をリスト表示させ、当該リスト上で選択された関連情報に対応する医用画像情報を前記表示手段に表示させる表示制御手段と、を備えた医用画像表示装置において、
表示対象となる表示対象患者を設定する表示対象患者設定手段と、
前記関連情報の各項目に対して、表示を許可するか否かを設定する表示許否設定手段と、
を備え、
前記表示対象患者設定手段により表示対象患者が設定された場合に、前記表示制御手段は、当該表示対象患者に対応する関連情報及び医用画像情報を前記表示手段に表示させ、前記表示対象患者以外の患者に対応する関連情報のうち前記表示許否設定手段により表示が許可された項目を前記表示手段にリスト表示させ、当該リスト上で選択された関連情報に対応する医用画像情報を前記表示手段に表示させることを特徴とする医用画像表示装置。
【発明の詳細な説明】
【技術分野】
【０００１】
本発明は、患者を撮影して得られた医用画像情報を表示する医用画像表示装置に関する。
【背景技術】
【０００２】
従来から、ＣＴ（Computed Tomography）やＣＲ（Computed Radiography）、ＭＲＩ（Magnetic Resonance Imaging）、乳房撮影装置、超音波診断装置等によって撮影された医用画像をモニタに表示したり、プリンタ出力したりして、医師の診断が行われている。また、医師が患者に診療の目的・内容を説明して、患者の納得を得て治療するために（インフォームドコンセント）、患者に医用画像を示しながら病状を説明する場合が多い。
【０００３】
しかし、患者の個人情報を保護するためには、病院内においても、情報の漏洩を防止する必要がある。例えば、医用画像データに患者情報を付加して出力する医用画像診断装置において、予め保管されている患者情報項目毎の開示可否データに基づいて、開示不可とされた患者情報については、マスクした上で表示や出力を行うものが提案されている（例えば、特許文献１参照）。
【特許文献１】特開２００５−２９６３３３号公報
【発明の開示】
【発明が解決しようとする課題】
【０００４】
しかし、診療対象の患者に医用画像を示して病状を説明する場合、一般的には、患者ＩＤを検索条件として、特定の患者の情報を検索する。この際、患者ＩＤの入力を間違えると、別の患者の情報が表示されてしまい、別患者の個人情報が漏洩するおそれがあった。
【０００５】
本発明は、上記の従来技術における問題に鑑みてなされたものであって、表示対象となる患者以外の情報の漏洩を防ぐことを課題とする。
【課題を解決するための手段】
【０００６】
上記課題を解決するために、請求項１に記載の発明は、複数の患者を撮影して得られた医用画像情報及び当該医用画像情報に関連する関連情報を対応付けて記憶する記憶手段と、表示手段に前記関連情報をリスト表示させ、当該リスト上で選択された関連情報に対応する医用画像情報を前記表示手段に表示させる表示制御手段と、を備えた医用画像表示装置において、表示対象となる表示対象患者を設定する表示対象患者設定手段を備え、前記表示対象患者設定手段により表示対象患者が設定された場合に、前記表示制御手段は、当該表示対象患者に対応する関連情報及び医用画像情報のみを前記表示手段に表示させることを特徴とする。
【０００７】
請求項２に記載の発明は、複数の患者を撮影して得られた医用画像情報及び当該医用画像情報に関連する関連情報を対応付けて記憶する記憶手段と、表示手段に前記関連情報をリスト表示させ、当該リスト上で選択された関連情報に対応する医用画像情報を前記表示手段に表示させる表示制御手段と、を備えた医用画像表示装置において、前記関連情報は、患者情報と撮影条件情報とを含み、表示対象となる表示対象患者を設定する表示対象患者設定手段を備え、前記表示対象患者設定手段により表示対象患者が設定された場合に、前記表示制御手段は、当該表示対象患者に対応する関連情報及び医用画像情報を前記表示手段に表示させ、前記表示対象患者以外の患者に対応する撮影条件情報を前記表示手段にリスト表示させ、当該リスト上で選択された撮影条件情報に対応する医用画像情報を前記表示手段に表示させることを特徴とする。
【０００８】
請求項３に記載の発明は、複数の患者を撮影して得られた医用画像情報及び当該医用画像情報に関連する関連情報を対応付けて記憶する記憶手段と、表示手段に前記関連情報をリスト表示させ、当該リスト上で選択された関連情報に対応する医用画像情報を前記表示手段に表示させる表示制御手段と、を備えた医用画像表示装置において、表示対象となる表示対象患者を設定する表示対象患者設定手段と、前記関連情報の各項目に対して、表示を許可するか否かを設定する表示許否設定手段と、を備え、前記表示対象患者設定手段により表示対象患者が設定された場合に、前記表示制御手段は、当該表示対象患者に対応する関連情報及び医用画像情報を前記表示手段に表示させ、前記表示対象患者以外の患者に対応する関連情報のうち前記表示許否設定手段により表示が許可された項目を前記表示手段にリスト表示させ、当該リスト上で選択された関連情報に対応する医用画像情報を前記表示手段に表示させることを特徴とする。
【発明の効果】
【０００９】
請求項１に記載の発明によれば、表示対象患者が設定された場合に、表示対象患者に対応する関連情報及び医用画像情報のみを表示するので、表示対象患者以外の情報の漏洩を防ぐことができる。
【００１０】
請求項２に記載の発明によれば、表示対象患者が設定された場合に、表示対象患者以外の患者については患者情報を表示しないので、表示対象患者以外の情報の漏洩を防ぐことができる。
【００１１】
請求項３に記載の発明によれば、表示対象患者が設定された場合に、表示対象患者以外の患者については表示が許可された関連情報のみを表示するので、表示対象患者以外の情報の漏洩を防ぐことができる。
【発明を実施するための最良の形態】
【００１２】
［第１の実施の形態］
まず、本発明の第１の実施の形態における医用画像表示装置１０を説明する。
図１に、医用画像表示装置１０の構成を示す。
図１に示すように、医用画像表示装置１０は、制御部１１、操作部１２、標準モニタ１３、高精細モニタ１４，１５、ＲＡＭ（Random Access Memory）１６、記憶部１７、通信部１８を備える。
【００１３】
制御部１１は、ＣＰＵ（Central Processing Unit）等から構成され、記憶部１７に記憶されている各種制御プログラムを読み出し、ＲＡＭ１６に展開し、これら制御プログラムに従って医用画像表示装置１０の各部の動作を統括的に制御する。
【００１４】
操作部１２は、数字キー、文字キー、機能キー等を有するキーボードや、マウス等を備えて構成され、その操作に対応する操作信号を生成して制御部１１に出力する。操作部１２は、表示対象となる表示対象患者を設定する際に用いられる。
【００１５】
標準モニタ１３は、ＬＣＤ（Liquid Crystal Display）等から構成され、制御部１１からの指示に従って、操作画面や制御部１１の処理結果等の各種表示情報を表示する。
【００１６】
高精細モニタ１４，１５は、ＬＣＤ等から構成され、制御部１１からの指示に従って、医用画像等の高精細画像を表示する。例えば、同一患者の病状の経時変化を診断するために、同一患者を異なる時期に撮影した複数の医用画像を高精細モニタ１４，１５のそれぞれに表示してもよいし、他の患者の症例と比較するために、異なる患者を撮影した画像を高精細モニタ１４，１５のそれぞれに表示してもよい。
【００１７】
ＲＡＭ１６は、制御部１１によって実行される各種プログラム及びこれらプログラムに係るデータを一時的に記憶するワークエリアを形成する。
【００１８】
記憶部１７は、上記制御プログラムの他、プログラムの実行に必要なパラメータやデータ、制御部１１の処理結果等の各種情報を記憶する。また、記憶部１７には、複数の患者を撮影して得られた医用画像情報と、医用画像情報に関連する関連情報とが対応付けられて検査毎に記憶されている。関連情報は、患者情報と撮影条件情報とを含む。患者情報とは、撮影された患者に関する情報をいい、患者ＩＤ、患者氏名、生年月日、年齢、性別等を含む。撮影条件情報とは、撮影時の撮影条件に関する情報をいい、検査ＩＤ、検査日、撮影された部位、モダリティ等を含む。
【００１９】
通信部１８は、ネットワークインターフェイスカードやモデム等の通信用のインターフェイスを備え、外部装置と相互に通信を行う。
【００２０】
制御部１１は、記憶部１７に記憶されている関連情報に基づいて、標準モニタ１３に関連情報をリスト表示させ、リスト上で選択された関連情報に対応する医用画像情報を記憶部１７から検索し、高精細モニタ１４，１５に表示させる。
【００２１】
表示対象となる表示対象患者が設定された場合に、制御部１１は、表示対象患者に対応する関連情報のみを記憶部１７から検索し、標準モニタ１３にリスト表示させる。そして、表示対象患者の関連情報の中から選択された関連情報に対応する医用画像情報を記憶部１７から検索し、高精細モニタ１４，１５に表示させる。
【００２２】
次に、第１の実施の形態における動作を説明する。
図２を参照して、医用画像表示装置１０により実行される患者固定処理Ａについて説明する。この患者固定処理Ａは、表示対象となる患者を固定する処理であり、制御部１１と記憶部１７に記憶されているプログラムとの協働により実現される。
【００２３】
まず、記憶部１７に記憶されている全ての患者の関連情報に基づいて、標準モニタ１３に、全体の患者リストが表示される（ステップＳ１）。図３に、全体の患者リストが表示されたリスト画面１３１を示す。リスト画面１３１には、検査毎に、患者ＩＤ、患者氏名、生年月日、年齢、性別、読影状況、検査ＩＤ、検査日、部位、モダリティ等の関連情報がリスト表示される。読影状況とは、各検査に対応する医用画像情報を医師が読影済か、未読影か、読影中かを示す情報である。
【００２４】
次に、標準モニタ１３に全体の患者リストが表示されている状態で、操作部１２から表示対象となる表示対象患者が選択されたか否かが判断される（ステップＳ２）。例えば、リスト画面１３１上で表示対象患者の情報が操作部１２から選択されると、その患者を示す行の色が変わり、選択されたことが示される。
【００２５】
図３に示すリスト画面１３１上で表示対象患者が選択された状態で（ステップＳ２；Ｙｅｓ）、操作部１２により患者固定ボタン２１が押下されると（ステップＳ３；Ｙｅｓ）、表示対象患者が設定される（患者固定モード）。そして、ステップＳ２において選択された表示対象患者の患者ＩＤに基づいて、記憶部１７に記憶されている関連情報が検索され（ステップＳ４）、標準モニタ１３に、表示対象患者のみのリストが表示される（ステップＳ５）。図４に、表示対象患者のみのリストが表示されたリスト画面１３２を示す。図４は、「北海太郎」が表示対象患者として設定された場合の例である。
【００２６】
ここで、医師は、患者を診察室に呼び入れ、病状の説明を開始する。そして、標準モニタ１３に表示されるリスト画面１３２において、操作部１２から表示すべき検査が選択された場合には（ステップＳ６；Ｙｅｓ）、その検査に対応する医用画像情報に基づいて、高精細モニタ１４に医用画像が表示される（ステップＳ７）。図５に、高精細モニタ１４に表示される読影画面１４１の例を示す。
【００２７】
次に、標準モニタ１３に表示されるリスト画面１３２において、患者固定モードのリセットボタン２２（図４参照）が押下されたか否かが判断される（ステップＳ８）。リセットボタン２２が押下されない場合（ステップＳ８；Ｎｏ）、又は、ステップＳ６で、標準モニタ１３に表示されるリスト画面１３２において、表示すべき検査が選択されない場合には（ステップＳ６；Ｎｏ）、ステップＳ５に戻る。そして、表示対象患者のリストの中から、別の検査が選択され（ステップＳ６；Ｙｅｓ）、その検査に対応する医用画像が表示される（ステップＳ７）。必要に応じて、表示対象患者の検査の中から、さらに、条件を設定して検索を行うこととしてもよい。
【００２８】
ステップＳ８において、リセットボタン２２が押下された場合には（ステップＳ８；Ｙｅｓ）、患者固定モードが解除され、記憶部１７に記憶されている全ての患者の関連情報に基づいて、標準モニタ１３に、全体の患者リストが表示される（ステップＳ９）。患者固定モードの解除は、患者が診察室を退室した後に行うことが望ましい。
【００２９】
以上説明したように、第１の実施の形態における医用画像表示装置１０によれば、表示対象患者が設定された場合に、表示対象患者に対応する関連情報及び医用画像情報のみを表示し、表示対象患者以外の患者については関連情報及び医用画像情報を表示しないので、表示対象患者以外の情報の漏洩を防ぐことができる。
【００３０】
［第２の実施の形態］
次に、本発明を適用した第２の実施の形態について説明する。
第２の実施の形態における医用画像表示装置は、第１の実施の形態に示した医用画像表示装置１０と同様の構成によってなるため、同一の構成部分については同一の符号を付し、その構成については図示及び説明を省略する。以下、第２の実施の形態に特徴的な構成及び処理について説明する。
【００３１】
制御部１１は、記憶部１７に記憶されている関連情報に基づいて、標準モニタ１３に関連情報をリスト表示させ、リスト上で選択された関連情報に対応する医用画像情報を記憶部１７から検索し、高精細モニタ１４，１５に表示させる。
【００３２】
表示対象となる表示対象患者が設定された場合に、制御部１１は、表示対象患者に対応する関連情報のみを記憶部１７から検索し、標準モニタ１３にリスト表示させる。そして、表示対象患者の関連情報の中から選択された関連情報に対応する医用画像情報を記憶部１７から検索し、高精細モニタ１４，１５に表示させる。また、表示対象となる表示対象患者が設定された場合に、表示対象患者以外の患者の画像と比較表示を行うときには、制御部１１は、表示対象患者以外の患者に対応する撮影条件情報を記憶部１７から検索して標準モニタ１３にリスト表示させ、リスト上で選択された撮影条件情報に対応する医用画像情報を記憶部１７から検索し、高精細モニタ１４，１５に表示させる。
【００３３】
次に、図６を参照して、第２の実施の形態における医用画像表示装置により実行される患者固定処理Ｂについて説明する。この患者固定処理Ｂは、表示対象となる患者を固定し、他の患者の患者情報については表示を行わない処理であり、制御部１１と記憶部１７に記憶されているプログラムとの協働により実現される。
【００３４】
まず、記憶部１７に記憶されている全ての患者の関連情報に基づいて、標準モニタ１３に、全体の患者リストが表示される（ステップＳ１１）。図３に示すように、リスト画面１３１には、患者ＩＤ、患者氏名、生年月日、年齢、性別、読影状況、検査ＩＤ、検査日、部位、モダリティ等の関連情報がリスト表示される。
【００３５】
次に、標準モニタ１３に全体の患者リストが表示されている状態で、操作部１２から表示対象となる表示対象患者が選択されたか否かが判断される（ステップＳ１２）。
【００３６】
図３に示すリスト画面１３１上で表示対象患者が選択された状態で（ステップＳ１２；Ｙｅｓ）、操作部１２により患者固定ボタン２１が押下されると（ステップＳ１３；Ｙｅｓ）、表示対象患者が設定される（患者固定モード）。そして、ステップＳ１２において選択された表示対象患者の患者ＩＤに基づいて、記憶部１７に記憶されている関連情報が検索され（ステップＳ１４）、標準モニタ１３に、選択された表示対象患者のみのリストが表示される（ステップＳ１５）。図４に示すように、リスト画面１３２には、表示対象患者として設定された患者のみのリストが表示される。
【００３７】
ここで、医師は、患者を診察室に呼び入れ、病状の説明を開始する。そして、標準モニタ１３に表示されるリスト画面１３２において、操作部１２から表示すべき検査が選択された場合には（ステップＳ１６；Ｙｅｓ）、その検査に対応する医用画像情報に基づいて、高精細モニタ１４に医用画像が表示される（ステップＳ１７）。
【００３８】
次に、比較表示を行う場合には（ステップＳ１８；Ｙｅｓ）、比較表示すべき画像を抽出するために、モダリティや部位等の検索条件が設定され（ステップＳ１９）、図４に示す検索ボタン２３が押下される。そして、設定された検索条件に基づいて、記憶部１７から比較対象となる画像の関連情報が検索され（ステップＳ２０）、標準モニタ１３に、検索条件を満たす別患者の関連情報のリストが表示される（ステップＳ２１）。この際、関連情報のうち撮影条件情報のみが表示され、患者情報については、アスタリスクで表示される等、マスクされて表示される。
【００３９】
このリストの中から比較すべき検査が選択された場合には（ステップＳ２２；Ｙｅｓ）、その検査に対応する医用画像情報に基づいて、高精細モニタ１４に医用画像が表示される（ステップＳ２３）。この際、患者情報については、アスタリスクで表示される等、マスクされて表示される。図７に、表示対象患者の医用画像と比較対象となる他の患者の医用画像とが並べて表示された読影画面１４２の例を示す。図７に示すように、表示対象患者の画像と比較対象となる他の患者の画像とを同一の高精細モニタ１４又は高精細モニタ１５に表示してもよいが、表示対象患者の画像を高精細モニタ１４に表示し、比較対象となる他の患者の画像を高精細モニタ１５に表示するようにしてもよい。
【００４０】
ステップＳ２３の後、又は、ステップＳ１８において比較表示を行わない場合には（ステップＳ１８；Ｎｏ）、患者固定モードのリセットボタン２２（図４参照）が押下されたか否かが判断される（ステップＳ２４）。リセットボタン２２が押下されない場合（ステップＳ２４；Ｎｏ）、又は、ステップＳ１６で、標準モニタ１３に表示されるリスト画面１３２において、表示すべき検査が選択されない場合には（ステップＳ１６；Ｎｏ）、ステップＳ１５に戻る。
【００４１】
ステップＳ２４において、リセットボタン２２が押下された場合には（ステップＳ２４；Ｙｅｓ）、患者固定モードが解除され、記憶部１７に記憶されている全ての患者の関連情報に基づいて、標準モニタ１３に、全体の患者リストが表示される（ステップＳ２５）。
【００４２】
以上説明したように、第２の実施の形態における医用画像表示装置によれば、表示対象患者が設定された場合に、表示対象患者以外の患者については患者情報を表示しないので、表示対象患者以外の情報の漏洩を防ぐことができる。また、表示対象患者以外の患者について、撮影条件情報に基づいて医用画像を表示することができるので、表示対象患者の画像と表示対象患者以外の患者の画像とを比較することができる。
【００４３】
第２の実施の形態では、表示対象患者以外の患者の患者情報について、アスタリスクで表示する等してマスクする場合を説明したが、表示対象患者以外の患者の患者情報については、表示欄を設けないこととしてもよい。
【００４４】
［第３の実施の形態］
次に、本発明を適用した第３の実施の形態について説明する。
第３の実施の形態における医用画像表示装置は、第１の実施の形態に示した医用画像表示装置１０と同様の構成によってなるため、同一の構成部分については同一の符号を付し、その構成については図示及び説明を省略する。以下、第３の実施の形態に特徴的な構成及び処理について説明する。
【００４５】
記憶部１７には、関連情報の各項目に対して、表示を許可するか否かが設定された表示許否設定テーブル１７１が記憶される。図８に、表示許否設定テーブル１７１の例を示す。表示許否設定テーブル１７１は、表示対象となる表示対象患者が設定された場合に、表示対象患者以外の患者の関連情報の各項目の表示を許可するか否かを示すものである。図８に示す例では、患者情報のうち、患者ＩＤ、患者氏名及び生年月日については、表示が許可されておらず、年齢及び性別については、表示が許可されている。また、撮影条件情報については、全て表示が許可されている。
【００４６】
ここで、表示許否設定テーブル１７１の設定について説明する。関連情報の各項目（患者ＩＤ、患者氏名等）が標準モニタ１３に表示され、医師の操作部１２からの操作により、各項目に対して、表示を許可するか否かを示す情報が入力され、表示許否設定テーブル１７１が設定される。
【００４７】
制御部１１は、記憶部１７に記憶されている関連情報に基づいて、標準モニタ１３に関連情報をリスト表示させ、リスト上で選択された関連情報に対応する医用画像情報を記憶部１７から検索し、高精細モニタ１４，１５に表示させる。
【００４８】
表示対象となる表示対象患者が設定された場合に、制御部１１は、表示対象患者に対応する関連情報のみを記憶部１７から検索し、標準モニタ１３にリスト表示させる。そして、表示対象患者の関連情報の中から選択された関連情報に対応する医用画像情報を記憶部１７から検索し、高精細モニタ１４，１５に表示させる。また、表示対象となる表示対象患者が設定された場合に、表示対象患者以外の患者の画像と比較表示を行うときには、制御部１１は、表示対象患者以外の患者に対応する関連情報のうち、表示許否設定テーブル１７１において表示が許可されている項目のみを記憶部１７から検索して標準モニタ１３にリスト表示させ、リスト上で選択された関連情報に対応する医用画像情報を記憶部１７から検索し、高精細モニタ１４，１５に表示させる。
【００４９】
次に、図９を参照して、第３の実施の形態における医用画像表示装置により実行される患者固定処理Ｃについて説明する。この患者固定処理Ｃは、表示対象となる患者を固定し、他の患者の関連情報のうち、表示が許可されていない項目については表示を行わない処理であり、制御部１１と記憶部１７に記憶されているプログラムとの協働により実現される。
【００５０】
まず、記憶部１７に記憶されている全ての患者の関連情報に基づいて、標準モニタ１３に、全体の患者リストが表示される（ステップＳ３１）。図３に示すように、リスト画面１３１には、患者ＩＤ、患者氏名、生年月日、年齢、性別、読影状況、検査ＩＤ、検査日、部位、モダリティ等の関連情報がリスト表示される。
【００５１】
次に、標準モニタ１３に全体の患者リストが表示されている状態で、操作部１２から表示対象となる表示対象患者が選択されたか否かが判断される（ステップＳ３２）。
【００５２】
図３に示すリスト画面１３１上で表示対象患者が選択された状態で（ステップＳ３２；Ｙｅｓ）、操作部１２により患者固定ボタン２１が押下されると（ステップＳ３３；Ｙｅｓ）、表示対象患者が設定される（患者固定モード）。そして、ステップＳ３２において選択された表示対象患者の患者ＩＤに基づいて、記憶部１７に記憶されている関連情報が検索され（ステップＳ３４）、標準モニタ１３に、選択された表示対象患者のみのリストが表示される（ステップＳ３５）。図４に示すように、リスト画面１３２には、表示対象患者として設定された患者のみのリストが表示される。
【００５３】
ここで、医師は、患者を診察室に呼び入れ、病状の説明を開始する。そして、標準モニタ１３に表示されるリスト画面１３２において、操作部１２から表示すべき検査が選択された場合には（ステップＳ３６；Ｙｅｓ）、その検査に対応する医用画像情報に基づいて、高精細モニタ１４に医用画像が表示される（ステップＳ３７）。
【００５４】
次に、比較表示を行う場合には（ステップＳ３８；Ｙｅｓ）、比較表示すべき画像を抽出するために、モダリティや部位等の検索条件が設定され（ステップＳ３９）、図４に示す検索ボタン２３が押下される。そして、設定された検索条件に基づいて、記憶部１７から比較対象となる画像の関連情報が検索され（ステップＳ４０）、標準モニタ１３に、検索条件を満たす別患者の関連情報のリストが表示される（ステップＳ４１）。この際、関連情報のうち、表示許否設定テーブル１７１において表示が許可されている項目のみが表示され、表示許否設定テーブル１７１において表示が許可されていない項目については、アスタリスクで表示される等、マスクされて表示される。
【００５５】
このリストの中から比較すべき検査が選択された場合には（ステップＳ４２；Ｙｅｓ）、その検査に対応する医用画像情報に基づいて、高精細モニタ１４に医用画像が表示される（ステップＳ４３）。この際、表示許否設定テーブル１７１において表示が許可されていない関連情報については、アスタリスクで表示される等、マスクされて表示される。図１０に、表示対象患者の医用画像と比較対象となる他の患者の医用画像とが並べて表示された読影画面１４３の例を示す。
【００５６】
ステップＳ４３の後、又は、ステップＳ３８において比較表示を行わない場合には（ステップＳ３８；Ｎｏ）、患者固定モードのリセットボタン２２（図４参照）が押下されたか否かが判断される（ステップＳ４４）。リセットボタン２２が押下されない場合（ステップＳ４４；Ｎｏ）、又は、ステップＳ３６で、標準モニタ１３に表示されるリスト画面１３２において、表示すべき検査が選択されない場合には（ステップＳ３６；Ｎｏ）、ステップＳ３５に戻る。
【００５７】
ステップＳ４４において、リセットボタン２２が押下された場合には（ステップＳ４４；Ｙｅｓ）、患者固定モードが解除され、記憶部１７に記憶されている全ての患者の関連情報に基づいて、標準モニタ１３に、全体の患者リストが表示される（ステップＳ４５）。
【００５８】
以上説明したように、第３の実施の形態における医用画像表示装置によれば、表示対象患者が設定された場合に、表示対象患者以外の患者については表示が許可された関連情報のみを表示するので、表示対象患者以外の情報の漏洩を防ぐことができる。また、表示対象患者以外の患者についての関連情報の各項目に対して、表示を許可するか否かを設定することができるので、比較表示を行う際に参考となる情報を表示することができる。
【００５９】
なお、上記各実施の形態における記述は、本発明に係る医用画像表示装置の例であり、これに限定されるものではない。医用画像表示装置の細部構成及び細部動作に関しても本発明の趣旨を逸脱することのない範囲で適宜変更可能である。
【００６０】
上記各実施の形態では、患者固定処理ＡのステップＳ１、患者固定処理ＢのステップＳ１１又は患者固定処理ＣのステップＳ３１において、全体の患者リストを表示することとしたが、その日に撮影された医用画像の情報のみを表示する「今日の検査」、モダリティを指定する「ＣＴ」等が予め選択されている場合には、各条件に合ったリストを表示するようにしてもよい。また、「今日の検査」が選択されている状態で、表示対象患者が設定された場合には、今日の検査のうち、表示対象患者として設定された患者の情報のみをリスト表示することとしてもよい。
【図面の簡単な説明】
【００６１】
【図１】本発明の第１の実施の形態における医用画像表示装置１０の構成を示すブロック図である。
【図２】第１の実施の形態における医用画像表示装置１０により実行される患者固定処理Ａを示すフローチャートである。
【図３】全体の患者リストが表示されたリスト画面１３１の例である。
【図４】表示対象患者のみのリストが表示されたリスト画面１３２の例である。
【図５】高精細モニタ１４に表示される読影画面１４１の例である。
【図６】第２の実施の形態における医用画像表示装置により実行される患者固定処理Ｂを示すフローチャートである。
【図７】表示対象患者の医用画像と比較対象となる他の患者の医用画像とが並べて表示された読影画面１４２の例である。
【図８】表示許否設定テーブル１７１の例を示す図である。
【図９】第３の実施の形態における医用画像表示装置により実行される患者固定処理Ｃを示すフローチャートである。
【図１０】表示対象患者の医用画像と比較対象となる他の患者の医用画像とが並べて表示された読影画面１４３の例である。
【符号の説明】
【００６２】
１０  医用画像表示装置
１１  制御部
１２  操作部
１３  標準モニタ
１３１  リスト画面
１３２  リスト画面
１４，１５  高精細モニタ
１４１  読影画面
１４２  読影画面
１４３  読影画面
１６  ＲＡＭ
１７  記憶部
１７１  表示許否設定テーブル
１８  通信部
２１  患者固定ボタン
２２  リセットボタン
２３  検索ボタン
【図１】
2008148973.tif 000003
【図２】
2008148973.tif 000004
【図３】
2008148973.tif 000005
【図４】
2008148973.tif 000006
【図５】
2008148973.tif 000007
【図６】
2008148973.tif 000008
【図７】
2008148973.tif 000009
【図８】
2008148973.tif 000010
【図９】
2008148973.tif 000011
【図１０】
2008148973.tif 000012